(57)【特許請求の範囲】
【請求項１】
棚板と、前記棚板を昇降動作自在に支持する棚板支持手段と、前記棚板を上昇する方向へ付勢する定重量バネと、前記定重量バネの付勢力に抗して棚板を所定位置で固定する固定手段と棚板のサイズ等に応じて付け替えられる荷重調整ウェイトと、棚板が下降して下限位置に達したときに水平方向のガタ付きを防止する振れ防止構造を有する昇降式載置棚において、
前記棚板支持手段は、壁面等に固定されるレール取付板と、前記レール取付板の前面に対して上下方向に摺動し得るように取り付けられるスライドレールと、前記スライドレールの可動レールに接続され、可動レールと共に所定ストローク昇降動作する可動フレームと、上記可動フレームに対して上端が接続され可動フレームと共に昇降動作し、下端部に棚板が取り付けられるガイドロッドとから構成されており、
前記振れ防止構造は、レール取付板の下端部に取り付けられた水平固定フレームと、前記水平固定フレームと前記可動フレームの一方側に設けられた位置決めピンと他方側に設けられた位置決めソケットとによって構成されており、可動フレームが下降して下限位置に達した時、位置決めピンが位置決めソケットに挿嵌されて可動フレームの水平方向のガタ付きが防止されるようにしたことを特徴とする昇降式載置棚。
【請求項２】
請求項１に記載した昇降式載置棚において、棚板を除く昇降式載置棚の構成部材の大部分は吊戸棚等の収納庫の背面における未使用空間を利用して設けられていることを特徴とする昇降式載置棚。
【請求項３】
請求項１または２に記載した昇降式載置棚において、棚板は係合構造によって組み合わされる上枠及び下枠と、組み合わされた状態の上枠と下枠とを連結する係合部材とを備えていることを特徴とする昇降式載置棚。
【請求項４】
請求項１〜３のいずれかに記載した昇降式載置棚において、ガイドロッドは上端が可動フレームに接続され、下方に向かって延びるガイド作用部と、前記ガイド作用部の下端部から前方に向かって水平に張り出すように延びる保持作用部とを備えており、このうち保持作用部は前記棚板内に内包されるようにして設けられていることを特徴とする昇降式載置棚。
【発明の詳細な説明】
【技術分野】
【０００１】
本発明は、例えばキッチンのシステムストッカーの一部である吊戸棚等と組み合わせて使用できる昇降式載置棚に関するものである。
【背景技術】
【０００２】
従来からシステムキッチンにおけるキャビネットの上方の壁面等には、台所周りの調理器具や備品、食材等の被収納物を収納するための吊戸棚が設けられている。この吊戸棚に必要な時のみ使用する昇降式の載置棚を備えれば極めて便利であるが、このような部材は設けられていないのが現状である。
【０００３】
一方、工場のラインに設けられる作業棚として、特許文献１に示すような昇降棚装置が考えられている。この昇降棚装置は、バネによって作業棚が上方へ付勢される構成となっている。
かかる構成をキッチン用の載置棚に適用する場合には、載置棚を引き上げるバネの付勢力を昇降範囲のいずれの位置においても一定にすることが求められる。即ち、比較的頻繁に載置棚を下げるため、バネの付勢力が載置棚の下限位置近くで大きくなると、載置台を下げるのに大きな力が必要となり、使い勝手が甚だ悪いものになってしまう。また、載置台を上げる際に、下限位置近くにおいて載置棚が勢いよく上昇することになり危険である。
そこで、ほぼ特注品となる定荷重バネを用いることになる。しかしながら、載置棚のサイズ毎に定荷重バネを揃えると部品コストが嵩むという問題がある。
【０００４】
また、特許文献１の昇降棚装置は単なる吊持状態で設けられているため使用中、水平方向にガタ付きが生じる場合がある。
さらに、棚板を複数の部材を組み合わせて製作する場合には、そのほとんどがビス止めを利用しており、組立てにどうしても時間が掛かってしまう。
また、被載置物の重量が重い場合には棚板の機械的強度を高める必要があるが、棚板のみの構造を工夫するだけでは限界がある。
【０００５】
【特許文献１】特開２００２−３６９７２０号公報
【発明の開示】
【発明が解決しようとする課題】
【０００６】
本発明は、このような背景技術が抱えていた問題点の存在を踏まえてなされたものであって、定荷重バネを交換しなくても種々のサイズの棚板に対応でき、使用時の棚板のガタ付きもなく、収納庫背面の未使用空間等の狭いスペースを利用して設置でき、棚板の組立てが容易で安価な材料の棚板を使用して棚板の機械的強度を高めることができる昇降式載置棚を提供することを課題とするものである。
【課題を解決するための手段】
【０００７】
上記課題を解決するために請求項１に記載した発明は、棚板と、前記棚板を昇降動作自在に支持する棚板支持手段と、前記棚板を上昇する方向へ付勢する定重量バネと、前記定重量バネの付勢力に抗して棚板を所定位置で固定する固定手段と棚板のサイズ等に応じて付け替えられる荷重調整ウェイトと、棚板が下降して下限位置に達したときに水平方向のガタ付きを防止する振れ防止構造を有する昇降式載置棚において、前記棚板支持手段は、壁面等に固定されるレール取付板と、前記レール取付板の前面に対して上下方向に摺動し得るように取り付けられるスライドレールと、前記スライドレールの可動レールに接続され、可動レールと共に所定ストローク昇降動作する可動フレームと、上記可動フレームに対して上端が接続され可動フレームと共に昇降動作し、下端部に棚板が取り付けられるガイドロッドとから構成されており、前記振れ防止構造は、レール取付板の下端部に取り付けられた水平固定フレームと、前記水平固定フレームと前記可動フレームの一方側に設けられた位置決めピンと他方側に設けられた位置決めソケットとによって構成されており、可動フレームが下降して下限位置に達した時、位置決めピンが位置決めソケットに挿嵌されて可動フレームの水平方向のガタ付きが防止されるようにしたことを特徴とする昇降式載置棚である。
【０００８】
請求項２に記載した発明は、請求項１に記載した昇降式載置棚において、棚板を除く昇降式載置棚の構成部材の大部分は吊戸棚等の収納庫の背面における未使用空間を利用して設けられていることを特徴とする昇降式載置棚である。
【００１０】
請求項３に記載した発明は、請求項１または２に記載した昇降式載置棚において、棚板は係合構造によって組み合わされる上枠及び下枠と、組み合わされた状態の上枠と下枠とを連結する係合部材とを備えていることを特徴とする昇降式載置棚である。
【００１３】
請求項４に記載した発明は、請求項１〜３のいずれかに記載した昇降式載置棚において、ガイドロッドは上端が可動フレームに接続され、下方に向かって延びるガイド作用部と、前記ガイド作用部の下端部から前方に向かって水平に張り出すように延びる保持作用部とを備えており、このうち保持作用部は前記棚板内に内包されるようにして設けられていることを特徴とする昇降式載置棚である。
【発明の効果】
【００１４】
本発明の昇降式載置棚によれば、荷重調整ウェイトの採用により単一の定荷重バネを使用して種々のサイズの棚板に対応できるようになる。また定荷重バネの交換の必要がないから部品コストの削減を図ることができる。
振れ防止構造を採用した場合には使用中の棚板のガタ付きが防止されるから安心して使用できるようになって作業性が向上する。
【００１５】
また吊戸棚等の収納庫の背面における未使用空間を利用して昇降式載置棚を設けた場合には、キッチンのスペースを狭めることなく、昇降式載置棚を設置でき、未使用空間の有効利用を図ることができる。
係合構造と係合部材により、ビス止めを使用しない棚板の組立構造を採用することができる。従って、棚板の組立てが容易になり、組立工数が減少する。
ガイドロットの一部を保持作用部として利用した場合には棚板の構造、材料を変更することなく棚板の機械的強度を向上させることができる。
【発明を実施するための最良の形態】
【００１６】
以下、本願発明の実施の形態に係る昇降式載置棚１について図面に基づいて具体的に説明する。
本願発明の昇降式載置棚１は例えばキッチンのシステムストッカーの一部である吊戸棚３等と組み合わせることによって使用される。
昇降式載置棚１は壁面５等に固定されるレール取付板７と、レール取付板７の前面に対して上下方向に摺動し得るように取り付けられるスライドレール９と、スライドレール９の可動レール１１に接続され、可動レール１１と共に所定ストローク昇降動作する可動フレーム１５と、可動フレーム１５に対してバネ支持ブラケット１７を介して繰り出し自在及び巻き取り自在に設けられる定荷重バネ１９と、可動フレーム１５に対して上端が接続され可動フレーム１５と共に昇降動作する左右一対設けられるガイドロッド２１と、ガイドロッド２１の下端部に対して水平に取り付けられる棚板２３とを備えている。このうち可動フレーム１５には棚板２３のサイズ等に応じて付け替えられる荷重調整ウェイト２５が設けられている。
棚板支持手段は、レール取付板７、スライドレール９、可動フレーム１１及びガイドロッド２１とから構成されている
【００１７】
実施の形態では棚板２３を除く、昇降式載置棚１の構成部材の大部分が吊戸棚３等の収納庫２７の背面における未使用空間Ｓを利用して設けられている。レール取付板７は縦に長い矩形平板状をしており、その前面の中央にはスライドレール９の固定レール１３が取り付けられている。
レール取付板７の前面には固定レール１３の下端と接する位置にスナップキャッチ２９が設けられている。このスナップキャッチ２９は可動フレーム１５における前方へ９０°折り曲げられた下端面３１の中央に設けられている係合スナップ３３と係合し、下限位置に達した可動フレーム１５をロックする役割を有している。これらスナップキャッチ２９と係合スナップ３３とによって固定手段が構成されている。
【００１８】
レール取付板７の下端部には水平固定フレーム３５が取り付けられている。水平固定フレーム３５は矩形平板状の部材を断面略コの字状に前方に折り曲げることによって形成されており、その上端面３７の左右には矩形ブロック状のゴムストッパ３９が貼設されている。このゴムストッパ３９は可動フレーム１５の下限位置を設定するストッパとしての機能と、下限位置に達する時の可動フレーム１５からの衝撃を和らげる緩衝材としての機能を併せ持っている。
水平固定フレーム３５の前面左右の端部にはガイドロッド２１を摺動自在に保持するロッドホルダ４１が設けられており、左右のロッドホルダ４１の更に前面には位置決めソケット４３がそれぞれ設けられている。
【００１９】
位置決めソケット４３には可動フレーム１５の下端面３１に取り付けられ下方に向かって延びている位置決めピン４５が挿嵌するようになっていて、位置決めピン４５と位置決めソケット４３とによって振れ防止構造４７が構成されている。
一方、可動フレーム１５は水平固定フレーム３５の上方に対向して設けられており、水平固定フレーム３５と同様、矩形平板状の部材を断面略コの字状に前方に折り曲げることによって形成されている。
【００２０】
レール取付板７の上端には前方に庇状に張り出すと共に、張り出した部分の左右の側片部４９を９０°下方に折り曲げた正面視門型形状のバネ支持ブラケット１７が設けられている。左右の側片部４９には定荷重バネ１９のバネ軸５１と係合し、これを支承するための係合溝５３が形成されている。係合溝５３は前方側が開放された切り欠きによって構成されている。従って、定荷重バネ１９をバネ軸５１に取り付けたままの状態で、前方側から取り付けることが可能である。よって、定荷重バネ１９の取り付け作業を簡単に行うことができる。
バネ支持ブラケット１７の天板部５５の裏面には一例として矩形ブロック状のゴムストッパ５７が貼設されている。このゴムストッパ５７は可動フレーム１５の上限位置を設定するストッパとしての機能と、上限位置に達する時の可動フレーム１５からの衝撃を和らげる緩衝材としての機能を併せ持っている。
【００２１】
定荷重バネ１９は中心にバネ軸５１を備えた巻取りドラム５９に巻かれた長尺の帯状のバネであり、その引出し量に関係なく常に一定の力で引き出しあるいは巻き取ることができるバネ部材である。
定荷重バネ１９の繰出し端６１は取付ネジ６３によって可動フレーム１５の前面の中央部に取り付けられている。この定荷重バネ１９は予め最も重量があり、サイズの大きな棚板２３に対応した巻取り直径ないし幅寸法のバネ部材によって構成されており、これより小さなサイズの棚板２３を使用する場合には可動フレーム１５の前面に取り付けられる荷重調整ウェイト２５の重量を調整して対応する。
【００２２】
ガイドロッド２１は金属製の角パイプ材によって形成される側面視Ｌ字形状をした長杆状の部材であり、その上端が可動フレーム１５に接続されている。ガイドロッド２１は下方に向かって延びるガイド作用部６５と、ガイド作用部６５の下端部から前方に向かって水平に張り出すように延びる保持作用部６７とを備えている。
ガイド作用部６５は上述したロッドホルダ４１に挿嵌される部材で、ロッドホルダ４１によって水平固定フレーム３５に対して垂直となるように保持されて所定ストローク昇降動作する。一方、保持作用部６７は後述する棚板２３内に内包されて設けられる部材で棚板２３を保持して棚板２３の機械的強度を向上させる役割を有している。
【００２３】
棚板２３はアルミニウム合金の押出材によって構成される上枠６９、下枠７１、サイドキャップ７３及びロッドキャップ７７と、金属材料によって形成される係合部材としての係合ピン７５とを備えている。
上枠６９は直接被載置置物Ａを載置する部材であり、上枠６９の載置面７９は極浅い波状に加工されており、幾分、前縁部８１及び後縁部８３より窪んだ状態で設けられている。上枠６９の前縁部８１はループ状に載置面７９の裏側に折り曲げられており、その先端には一例として断面コの字状の係合リブ８５が後方に向けて設けられている。
【００２４】
一方、上枠６９の後縁部８３の裏面には鉤状をした係合爪８７が同じく後方に向けて設けられている。
下枠７１は上枠６９の下方から後方にかけての開口部を閉塞し、上枠６９及び次に述べるサイドキャップ７３等と共に棚板２３の剛性を高めるための部材である。
下枠７１の前縁部８９には上枠６９の係合リブ８５とは逆向きの同じく断面コの字状の係合リブ９１が前方に向けて設けられている。一方、下枠７１の後縁部９３は上枠６９の後方の開口部を閉塞するように上方に向けて折り曲げられており、その先端には前方に向けて庇状に張り出す内フランジ部９５が設けられている。
【００２５】
上枠６９の係合リブ８５は下枠７１の係合リブ９１と係合し、上枠６９の係合爪８７は下枠７１の内フランジ部９５と係合するようになっていて、互いに上枠６９と下枠７１とを連結する係合構造を構成している。
上枠６９の載置面７９の裏側前縁部８１寄りの位置には幾分肉厚の補強リブ９７が下方に向けて設けられている。また下枠７１の底板部の上面には前縁部８９寄りの位置に幾分肉厚の肉厚の補強リブ９９、中間付近の位置と後縁部９３寄りの位置に肉薄の補強リブ１０１が２本設けられている。
【００２６】
上枠６９側の肉厚の補強リブ９７の前面と、下枠７１側の肉厚の補強リブ９９の後面には側面視円弧状にえぐられた嵌合凹部１０３と嵌合凹部１０５がそれぞれ設けられている。これらの嵌合凹部１０３、１０５に対して左右の側方から２本のフランジ付き丸棒状の係合ピン７５がそれぞれ挿嵌されることによって上枠６９と下枠７１の一体性が更に強化されている。
【００２７】
また上枠６９の後縁部８３には上述した２本のガイドロッド２１を受け入れる受入れ開口部１０７が２個設けられている。そしてこの受入れ開口部１０７に対して下方からガイドロッド２１におけるガイド作用部６５が挿嵌され、ガイドロッド２１における保持作用部６７が上枠６９の裏側の空間に進入した状態で下枠７１を上枠６９に連結することで上記保持作用部６７が棚板２３内に内包される構造になっている。
【００２８】
受入れ開口部１０７とガイドロッド２１との間にできる隙間を閉塞するロッドキャップ７７が設けられている。このロッドキャップ７７を上方から受入れ開口部１０７に向けて挿し込むことによって図示しない係止構造が作用して上記隙間が閉塞されると共に棚板２３とガイドロッド２１の一体性が確保される。
サイドキャップ７３は連絡された上枠６９と下枠７１の左右の側部開口面を閉塞する部材であり、連結された状態の上枠６９と下枠７１の左右の側縁部を被覆するようにして取り付けられる。またサイドキャップ７３の内壁面には先端に鉤状の係止爪が形成された係止突起１１３が３本設けられており、上枠６９ないし下枠７１に対して設けられる図示しない係止溝に対して係止される。
この他、下枠７１の前縁部８９寄りの底面には左右に設けられるグリップホルダ１０９によって保持される丸棒状のハンドルグリップ１１１が設けられている。
【００２９】
次にこのようにして構成される本実施の形態に係る昇降式載置棚１の操作手順を（１）使用時と、（２）格納時に分けて説明する。
（１）使用時（図１、６参照）
昇降式載置棚１を使用する場合には、ハンドルグリップ１１１に手を掛けて握り、下方に引き下げる。これに伴って定荷重バネ１９が下方に繰り出されていき、スライドレール９によって案内されて可動フレーム１５は下降する。そして可動フレーム１５の下端面３１がゴムストッパ３９に当接した下限位置に達した状態で可動フレーム１５ないし棚板２３の下方への移動は停止される。
この状態ではスナップキャッチ２９に対して係合スナップ３３が上方から嵌まり込み、可動フレーム１５が保持され、棚板２３が固定される。同時に位置決めピン４５が位置決めソケット４３内に挿嵌されるため棚板２３のガタ付きも防止される。
そしてこの状態で棚板２３における上枠６９の載置面７９に被載置置物Ａを載置して所定の作業を行う。
【００３０】
（２）格納時（図２、３参照）
所定の作業が終了したら再びハンドルグリップ１１１を握って今度は押し上げる。これに伴って定荷重バネ１９が上方に巻き取られて行き、スライドレール９によって案内されて可動フレーム１５は上昇する。そして可動フレーム１５の上端面３０がゴムストッパ５７に当接した上限位置に達した状態で可動フレーム１５の上方への移動が停止され、棚板２３は吊戸棚３等の収納庫２７の底面に面した格納状態となる。
【００３１】
以上、本発明を実施するための最良の形態とその具体的な実施の形態について詳述してきたが、具体的な構成はこのような形態に限られるものではなく、本発明の要旨を逸脱しない範囲内における設計の変更などがあっても本発明に含まれる。
例えば、上記実施の形態では、位置決めソケット４３を水平固定フレーム３５側に設け、位置決めピン４５を可動フレーム１５側に設けたが、これとは逆に位置決めソケット４３を可動フレーム１５側に設け、位置決めピン４５を水平固定フレーム３５側に設ける構成としてもよい。
また、棚板２３に対して手前に引き出すことのできる延長トレイを設けておき、広い載置スペースが必要な場合に使用するようにすることも可能である。
【図面の簡単な説明】
【００３２】
【図１】本発明の実施の形態に係る昇降式載置棚の使用状態を示す斜視図である。
【図２】本発明の実施の形態に係る昇降式載置棚の格納状態を示す正面図である。
【図３】本発明の実施の形態に係る昇降式載置棚の格納状態を示す側面図である。
【図４】本発明の実施の形態に係る昇降式載置棚の格納状態を示す図２のＡ−Ａ断面図である。
【図５】本発明の実施の形態に係る昇降式載置棚における棚板の連結構造を示す側断面図である。
【図６】本発明の実施の形態に係る昇降式載置棚の使用状態を示す正面図である。
【符号の説明】
【００３３】
１  昇降式載置棚                    ３  吊戸棚
５  壁面                            ７  レール取付板
９  スライドレール                １１  可動レール
１３  固定レール                    １５  可動フレーム
１７  バネ支持ブラケット            １９  定荷重バネ
２１  ガイドロッド                  ２３  棚板
２５  荷重調整ウェイト              ２７  収納庫
２９  スナップキャッチ              ３０  上端面（可動フレームの）
３１  下端面（可動フレームの）      ３３  係合スナップ
３５  水平固定フレーム              ３７  上端面（水平固定フレームの）
３９  ゴムストッパ（下限位置の）    ４１  ロッドホルダ
４３  位置決めソケット              ４５  位置決めピン
４７  振れ防止構造                  ４９  側片部
５１  バネ軸                        ５３  係合溝
５５  天板部                        ５７  ゴムストッパ（上限位置の）
５９  巻取りドラム                  ６１  繰出し端
６３  取付ネジ                      ６５  ガイド作用部
６７  保持作用部                    ６９  上枠
７１  下枠                          ７３  サイドキャップ
７５  係合ピン                      ７７  ロッドキャップ
７９  載置面                        ８１  前縁部（上枠の）
８３  後縁部（上枠の）              ８５  係合リブ（上枠の）
８７  係合爪（上枠の）              ８９  前縁部（下枠の）
９１  係合リブ（下枠の）            ９３  後縁部（下枠の）
９５  内フランジ部（下枠の）        ９７  肉厚の補強リブ（上枠の）
９９  肉厚の補強リブ（下枠の）    １０１  肉薄の補強リブ（下枠の）
１０３  嵌合凹部（上枠の）          １０５  嵌合凹部（下枠の）
１０７  受入れ開口部                １０９  グリップホルダ
１１１  ハンドルグリップ            １１３  係止突起
Ｓ  未使用空間                      Ａ  被載置置物
【図１】
0004568648.tif 000002
【図２】
0004568648.tif 000003
【図３】
0004568648.tif 000004
【図４】
0004568648.tif 000005
【図５】
0004568648.tif 000006
【図６】
0004568648.tif 000007